(57)【要約】      （修正有）【課題】突然に発生する豪雨の際にも手軽に活用する事のできる、簡単に取り外しの可能なズボンの雨濡れ・汚れ防止カバーの付いた靴を提供する。【解決手段】靴の履き口にオープンファスナーの凸部１を取り付けたＡ部と、下部にオープンファスナー凹部２を縫付けた皮革製品または合成樹脂製の素材板を丸く丸めて前方のジッパーで筒状に作製した筒状素材、あるいはその素材に付随する裏地カバーを二重縫製したＢ部を、それぞれのオープンファスナーで一体化してなる、取り外し可能な雨濡れ・裾汚れ防止カバー付き靴。【選択図】図１
0003184069.tif 000002
【実用新案登録請求の範囲】
【請求項１】
靴の履き口部分にオープンファスナー凸部を縫い付けたＡ部と、靴と同一素材または合成樹脂素材で製作した前方のジッパーで筒状に加工し、かつ、その下部にオープンファスナー凹部を縫付けたＢ部を一体化した、取り外し可能の防雨、防雪、濡れ汚れ防止用具。
【考案の詳細な説明】
【技術分野】
【０００１】  本考案は、近年、季節を問わずして突然に発生する豪雨の際にも手軽に活用する事のできる、簡単に取り外しの可能なズボンの雨濡れ・汚れ防止カバーの付いた靴に関するものである。
【背景技術】
【０００２】  朝、出勤時には快晴という場合、スーツに長靴という人は居ないだろう。たとえ、午後に夕立の天気予報が出ていてもである。また雨の最中であってもビジネスマンはスーツに長靴は履きにくいものである。しかしながら外出中の移動の際に豪雨でスーツの裾が濡れていたり汚れていては、相手に与える印象もあまり良いとはいえない。
また仕事以外の外出の場合でも同様である。
すなわち、急に見舞われる降雨に際して一般に行なう対応策としては、まずは折り畳み傘であるが、これは強い雨風や豪雨に対しては、ズボンの裾の濡れや汚れを殆ど回避できない。またレインコートも同様に、ズボンの裾の濡れや汚れを回避することはできない。これらに完全に対処するには、先に述べたようにゴムの長靴に上下のレインスーツを着用することであるが、これらのものはあまりにも持ち運びに不便であるし、スーツ着用時には相性が悪い。また雨が上がった際にはレインスーツは、大きな荷物になるし、ゴムの長靴から皮のビジネスシューズに履き替えることは更に大変である。現実的な対応策としては、撥水スプレーがあるが、高級ウール素材のスーツには染みなど生地の変質が懸念される。また耐久性の面で効果が持続しているかどうか判り難いという問題点がある。
【考案の概要】
【考案が解決しようとする課題】
【０００３】  ここ最近、地球規模の二酸化炭素大量放出による地球温暖化の影響によるものといわれる夏場の午後などに降る雨は、激しさを増しており、小さな折り畳み傘だけではとても防げるものではない。といって、スーツのビジネスマンにとってなかなか上下の雨合羽に長靴姿で得意先に訪問する訳にはいかないのが実状である。あるいは撥水スプレーでズボンの裾をコーティングする方法もあるが、ズボンに付く薬剤による染みの問題や、撥水スプレーの効果の持続性が短いことや、効果の持続性を確認することが困難であるなどの問題もあり、確実な普及に至っていない。
このような時にもスマートに折り目正しい印象を発揮して、お得意様を訪問出来る様にするため、男性用、女性用（スラックス＋ジャケットのパンツスーツ）、更には仕事以外の服装の時にも、靴に取り外しが簡単な、ズボン裾汚れ防止カバーを付けて問題を解決しようとするものである。
本考案は、同じ目的で、先にＡ部とＢ部をジッパーで接続する「雨用ズボン裾汚れ防止カバー付き靴」（実願２０１２−００４４２４）を出願し、特許庁において「実用新案登録第３１７８６６５」として登録証を授与されている。しかるにその実用化を図るに際し、いろいろ、問題点のあることを発見し、さらに改良を加えた結果、本考案を完成し、ここに新しい実用新案として提出するにいたったものである。なお、前・考案「実用新案登録第３１７８６６５号」と本・考案を区別するため、前に登録した実用新案を前・考案、今回、出願する考案を本・考案とし、その混同を避けるようにした。
【課題を解決するための手段】
【０００４】  本考案を出願するに当たり、前考案との違い、差異をまとめ直しておく。
前考案の企業化に当たっての問題点を整理すると、Ｂ部の構造、機能、作製法について問題点があった。まず
イ）  作製時に、１枚の素材から作製する必要があった。その一定大きさのほぼ四角平面体をベース材料とすることが、作製上、非常に有利であることが分かった。
ロ）  また次の工程に移る前に、平面素材の下部に、Ａ部と対になる凹部オープンファスナーを縫い込んでおくことにより、容易にＡ部とＢ部を一体化できることが分かった。このことはこの考案によって作製される裾汚れ防止カバー用具を作製するうえでの本質的なメリットとなった。
ハ）  １枚のほぼ四角形の素材を、くるくるっと巻き込み、その先端同士の両端をジッパーで結合すると、筒状のＢ部の本体を形成することができることも、本考案を作製するうえで大きなポイントとなった。
二）  また、本考案の本質的なことではないが、本考案による裾汚れ防止カバー用具を装着する場合、皮革製の素材をそのまま、ズボン本体に装着するより、その内側に布製または不織布を含む内張りを用いることにより、その装着が非常にスムーズに行われることが分かり、保温性もよい。
またこの際、あらかじめ接着剤などを用いて、布製内張りを素材本体と一体化しておいても、同様な目的を達成することが、開発途中において分かった。
以上のように、Ｂ部を作製するうえにおいて、あらかじめ、その素材下部にＡ部と一体化するためのオープンファスナーの凹部を取り付け、かつ、Ｂ部の内側に布製または合成樹脂製の内張り副資材をつけることにより、ある程度の構造性を有する１枚の皮革または合成樹脂素材および副素材を丸めて接合すべき先端部分をジッパーで一体化して筒状構造体とし、Ａ部の靴の上部のオープンファスナーの凸部を一体化することにより、裾汚れ防止カバー用具とすることができる。
以下、具体的に、本考案の説明を行う。
本考案は、耐水性のある皮革または合成樹脂製の男性用、女性用ビジネスシューズや防水性スニーカーなどの上部に図２のようにオープンファスナーの凸部（１）を縫付けたＡ部と、そのＡ部の靴と同素材にて作成した撥水性のズボン裾汚れ防止カバーのＢ部の下部に、図３（３−ｂ）のようにオープンファスナーの凹部（２）を縫い付け、それぞれを図１のように双方のオープンファスナーを繋ぎ合わせてＡ部の靴とＢ部の汚れ防止カバーを密着接合し使用することによってズボンの裾の水濡れや土砂の跳ねなどによる汚れを防止することを特徴とするものである。また、この汚れ防止カバーは、図３（３−ｃ）、（３）（４）のように靴と汚れ防止カバーをファスナーで密着接合してある部分に直接雨水が当たることのないように靴の甲部分から靴のかかとまでを全て覆うように、靴の履き口部分とジッパーで密着接合してある部分より下へ長く縫製するように設計してある。そしてこの汚れ防止カバーは汚れ防止カバー自体がオープンファスナーにより靴の甲部分上部で分割できる構造になっていて、これにより皮革または、合成樹脂製の伸び縮みしない堅い素材で縫製した汚れ防止カバーを、靴を履いたままの状況でジッパーにより脱着可能になる。この機能を備えることによって急な雨の際にも容易に取り出して靴を履いたまま装着し、ズボンの裾の汚れ、雨水によって濡れてプレスラインが消えてしまうことを防止、また更には近年多発している局地豪雨によるズボンのずぶ濡れの状態も回避することができる。雨が上がった時にもいち早く靴を履いたままの状況で裾汚れ防止カバーを取り外すことができる。取り外した裾汚れ防止カバーを手持ちの鞄に収納すれば一瞬にして晴天時の装備で活動ができるのである。
【考案を実施するための最良の形態】
【０００５】  本考案は、靴を履くときに足を入れる開口部分（靴の履き口の部分）に、オープンファスナーの片方の凸部分を、図２（１）のように、（男性物の場合には長さ２０ｃｍ程）を革用工業ミシンで縫い付けたものをＡ部、（図２参照）とし、このＡ部と、ズボンの下部を雨濡れや汚れから防止するための筒状カバーの下部に縫付けたＢ部（図３の３−ｃ）のオープンファスナーの凹部（２）を接合するものである。まずＢ部の筒状カバーの作製方法から説明する。Ｂ部の筒状上部カバーの素材は、Ａ部の靴と同一または一定の構造体を形成しうる厚さを有するポリオレフィン、ポリアミド、ポリエステルなどの合成樹脂の板状体であり、横４０ｃｍ〜５０ｃｍ長さ約２０ｃｍ〜５０ｃｍの板状体である。厚さは各材積によって異なるが柔軟性を有しながら構造体を形成する必要があるので、０，５ｍｍ〜５ｍｍの厚さが必要である。この板状素材にあらかじめその下部に（図３の３−ｂ）のようにオープンファスナーの凸部（２）を縫い付けて筒状前駆体とする。この筒状前駆体をくるくる巻き、その前部の接合部をジッパーで接合し、汚れ防止筒状上部カバーとする。このＢ部の筒状上部カバー下部のオープンファスナー凹部と靴の履き口上部に縫い付けてあるＡ部のオープンファスナー凸部を接合すれば、ズボン裾の水濡れや土砂の跳ねなどによる汚れを防止することができる。なおこのＢ部を構成する皮革製または合成樹脂製素材はズボンを保護・保温したり、またはズボンとの滑り性をよくするためあらかじめ素材を各種ポリエステル、ナイロン、ポリオレフィン衣製のクロスと二重にして作製してもよく、また接着剤を用いてあらかじめ一体化したものを筒状素材としてもよい。Ｂ部は、前考案の撥水性のある布素製の類型では無く、靴と同素材の革製または合成樹脂製にて形成される。いわば取り付け、取り外し式のブーツである。すなわち見た目の姿は取り付けたときにはブーツ、取り外したときにはビジネスシューズと、使用、未使用どちらの場合にも見た目の違和感は無く使い分けることが出来る。この点が前考案との明確な相違点であり、前考案の欠点を補うものである。  Ｂ部は、次のような踝から膝下までの長さを被う筒状の、円周約４０ｃｍ〜５５ｃｍ、長さ約２０ｃｍ〜５０ｃｍの靴と同素材のものを使用し、裏地  図３（３−ｂ）にナイロン、ポリエステル、ポリオレフィン、などの合成繊維の布で二重に縫製したものもふくめ、靴に密着接合したときに靴のつま先方向に切断面を設けこの部分も又オープンファスナー  図３（３−ｃ）（５）により接合し、汚れ防止カバーＢ部、筒状の形態を完成させる。またこの汚れ防止カバーＢ部、靴のつま先方向の切断面は、この部分のオープンファスナーを取り外すことにより靴を履いたままでの状態で汚れ防止カバーＢ部の脱着が可能になるのである。さらに汚れ防止カバーＢ部を靴に装着せずに携帯する場合（天候が晴れの状態で汚れ防止カバーが必要でない時）には、この切断面のオープンファスナーを外しておくことにより筒状の状態では無く、平面状になるので手持ちの鞄への収納も容易になる。このように靴と同一素材（革、合成樹脂）製の平面状のカバーを筒状に密着接合したものをＢ部とする。
このＡ部とＢ部を、図１のように靴側に縫い付けたオープンファスナーの凸部（１）と汚れ防止カバー下部に縫い付けたオープンファスナーの凹部（２）をジッパーにより接合することにより、取り外し可能な裾汚れ防止カバー付き靴が完成する。
【実施例１】
【０００６】  皮革製靴の履き口の部分にオープンファスナーの凸部を縫い付けたものをＡ部とし、靴と同一素材の革皮と裏地に使用するポリエステル生地を以下のように加工し、Ｂ部とする。Ｂ部の作製方法としては、まず外側カバーとし、横４８ｃｍ、縦４０ｃｍの皮革の下部にＡ部と対となるオープンファスナー凹部を縫い付け、この板状作（体）を丸めて筒状とし、その両端の接合部をジッパーで接合する。同時に外側に準じ、内側のポリエステル生地を円周４７ｃｍ、長さ２２ｃｍに加工し、この内側と外側のカバーを上部で重ね、二枚重ねで筒状に縫製する。この際、重なる面もオープンファスナー凹凸両部を縫製する。すなわちＢ部は縦面のジッパー結合部と下部円周部分のオープンファスナー凹部により構成されている。これ等の筒状のカバー全体をＢ部とする。
取り外し可能な裾汚れ防止カバー付き靴として使用する際は、Ａ部に取り付けてあるオープンファスナーの凸部と、Ｂ部の内側カバー下部に縫い付けてあるオープンファスナー凹部それぞれをオープンファスナーで繋ぎ合わせて接合し、取り外し可能な裾汚れ防止カバーでズボンの裾を被い、切断面のオープンファスナーを締め、接合、一体化し固定する。このような方法で両足の靴と取り外し可能な裾汚れ防止カバーを一体化し、それを着用して、やや強い雨の中を６０分間、歩行した。その後、オープンファスナーを外してズボンの濡れ具合を確かめたところ、ズボンの裾の濡れや汚れなども全く無く、ズボンの裾の線も元どおりであることを確認した。また、使用後の取り外し可能な裾汚れ防止カバーも折り畳んで収納し、持ち運びに支障は無かった。
【実施例２】
【０００７】  皮革製品の履き口の部分にオープンファスナーの凸部を縫い付けたものをＡ部とする。また横４８ｃｍ、縦４０ｃｍ、厚さ２ｍｍのポリエステル素地の下部にＡ部と対になるオープンファスナーの凹部を縫い付け、かつ素地を丸めてその両端をジッパーで結んだ包状体のカバーをＢ部とする。このＡ部とＢ部をオープンファスナーで結合し、一体化して本考案の裾汚れ防止カバー付き靴を作製する。
このような方法で両足の取り外し可能な裾汚れ防止カバー付き靴を着用し、その後、やや強い雨の中を６０分間、歩行した。この際、裾汚れ防止カバーを装着する場合、内張りがないとややスムーズ感や保温性に欠くところがあったが、着装に不具合は無かった。その後、オープンファスナーを外してズボンの濡れ、汚れ具合を確かめたところ、ズボンの濡れや汚れなども全くなく、ズボンの裾の線も元どおりであることを確認した。また使用後の取り外し可能な裾汚れ防止カバーも折り畳んで収納し、持ち運びに支障はなかった。
【考案の効果】
【０００８】  上述のように、本考案の取り外し可能な雨濡れ・裾汚れ防止カバー付き靴は、撥水性のある革皮靴、或いは合成樹脂製靴と同素材で製品を構成している。この製品の特徴は、取り外し式であるが故に、常時携帯が容易である。そのため必要な時に簡単に取り出して瞬時に使用することが可能であり、またさらにその必要がなくなればまた瞬時に取り外して、折り畳むことが可能であり、簡単に収納できる点にある。それが故に雨が上がった後には、さっと一瞬のうちに折り目正しいスーツ姿にもどることが出来るのである。また本考案の取り外し可能な雨濡れ・裾汚れ防止カバー付き靴は縦方向のジッパーを外す事により、折り畳むことができるので持ち運びにも便利である。
【産業上の利用可能性】
【０００９】  急に降りだす雨には、現在ある方法はこれまで述べてきたように折り畳み傘、レインコート、撥水スプレー、長靴、上下のレインスーツがあげられるが、どの製品にも使用上、問題点があった。本考案は、取り外し可能な雨濡れ・裾汚れ防止カバーが必要になったとき何時、如何なる時にも対応できる即効性、またこのような事態が去り、取り外し式裾汚れ防止カバーが不必要になった時にはすぐに収納できる柔軟性など、使用している時の効果の持続性と不要な時には速やかに簡便に旧態に複せることを特徴とするのが取り外し式裾汚れ防止カバー付き靴であり、新たな分野を開拓することができる。
【図面の簡単な説明】
【００１０】
【図１】  Ａ部、Ｂ部を接合した取り外し可能な裾汚れ防止カバー付き靴の一体化した全体図
【図２】  Ａ部、靴の履き口にオープンファスナー凸部を縫い付けた状態図
【図３】  （３−ａ）靴と同素材で作製したＢ部、外側部分  （３−ｂ）布素材で下部にオープンファスナー凹部を付けたＢ部、内側裏地部分  （３−ｃ）Ｂ部、取り外し式裾汚れ防止カバー、一体図
【符号の説明】
【００１１】  １，  オープンファスナー凸部
２，  オープンファスナー凹部
３，  取り外し式裾汚れ防止カバー内側
４，  取り外し式裾汚れ防止カバー外側
５，  取り外し式裾汚れ防止カバー切断面のジッパー凹凸部
【図１】
0003184069.tif 000003
【図２】
0003184069.tif 000004
【図３】
0003184069.tif 000005